(57)【特許請求の範囲】
【請求項１】
可撓性を有する膜材を重ね合わせ部を設けながら扁平な筒状に形成し、左右両端の重合部を固着することにより、幅方向の寸法に較べて長手方向の寸法が長大な包装体を構成し、該包装体の内方に、該包装体の長手方向と平行なラインに沿って折り畳まれ、包装体の幅方向と平行なラインに沿っては折り畳まれていないティッシュペーパーを収納し、包装体を幅方向に平行なラインを折曲中心として折曲可能に構成するとともに包装体の重ね合わせ部によってポケットを形成し、取出口として包装体の重ね合わせ部と反対側の表面に破線状の切込部を形成したことを特徴とする包装体。
【請求項２】
包装体の左右両端部近傍の一方又は双方に非硬化性の感圧接着剤を塗着した請求項１に記載の包装体。
【発明の詳細な説明】
【０００１】
【発明の属する技術分野】
本発明は乾式のティッシュペーパー、使い捨てハンカチ等の各種収納物を可撓性を有する膜材からなる袋体に収納して構成される包装体に関し、特には携帯性及びティッシュペーパー等の収納物を取り出した後の使い勝手が良好であって、各種ノベルティとして使用して有効な包装体に関するものである。
【０００２】
【従来の技術】
従来から乾式のティッシュペーパー等の収納物を水分不透過性の袋体に収納し、袋体の内側に企業の広告ペーパーを挿入した包装体が街頭で頒布されたり、ノベルティとして利用に供されている。これらの包装体は水分不透過性の膜材を用いて形成され、膜材の内部に乾式のティッシュペーパー等の収納物の束体を一枚毎に繰り出し可能に折り畳んで収納してから解放端部を熱圧着し、膜材の一部に取出口としてミシン目の破線切込部を形成したものが一般的に用いられている。また、包装体の片側に膜材の重ね合わせ部を設けて名刺等を収納可能なポケットを形成する手段も知られている。
【０００３】
【発明が解決しようとする課題】
しかしながら、従来のティッシュペーパーもしくは使い捨てハンカチ等の包装体の内部には、図１０に示すような包装体の長手方向と幅方向の双方に折り畳まれたティッシュペーパー４ａ等の収納物を積層した束体が収納されている。そのため、使用時には該収納物を一枚ずつ取り出してから広げるための煩瑣な動作が必要であり、更に使用者が衣服のポケットに入れて携帯している間に包装体が変形したり、包装体の全面に皺が発生して使い勝手が悪化してしまい、収納物を最後まで使い切らずに廃棄してしまうという問題点がある。
【０００４】
そこで本発明は上記の問題点を解決して、携帯性及びティッシュペーパー等の収納物を取り出した後の使い勝手が良好であり、各種ノベルティとして用いても有効な包装体を提供することを目的とするものである。
【０００５】
【課題を解決するための手段】
本発明は上記目的を達成するために、可撓性を有する膜材を重ね合わせ部を設けながら扁平な筒状に形成し、左右両端の重合部を固着することにより、幅方向の寸法に較べて長手方向の寸法が長大な包装体を構成し、該包装体の内方に、該包装体の長手方向と平行なラインに沿って折り畳まれ、包装体の幅方向と平行なラインに沿っては折り畳まれていないティッシュペーパーを収納し、包装体を幅方向に平行なラインを折曲中心として折曲可能に構成するとともに包装体の重ね合わせ部によってポケットを形成し、取出口として包装体の重ね合わせ部と反対側の表面に破線状の切込部を形成した包装体を基本構成としている。更に包装体の左右両端部近傍の一方又は双方に非硬化性の感圧接着剤を塗着した構成を提供する。
【０００９】
かかる包装体によれば、平常時は幅方向に平行なラインを折曲中心として財布のように包装体を折り畳むことによって左右両端部近傍の一方又は双方に塗着した感圧接着剤の作用に伴って全体的に小型化されて携帯が容易な包装体が得られる。ティッシュペーパー等の使用時には、利用者が折り畳まれた包装体を開いてから破線状の切込部を破断して取出口とし、包装体の内方に収納されたティッシュペーパーを一枚毎に繰り出した際に、該ティッシュペーパーは包装体の長手方向と平行なラインに沿ってのみ折り畳まれていて、包装体の幅方向と平行なラインに沿っては折り畳まれていないので、取り出したティッシュペーパーを広げる動作は最小限となって操作が簡易化されるという作用が得られる。
【００１０】
【発明の実施の形態】
以下図面に基づいて本発明にかかる包装体の具体的な実施形態を、収納物として乾式のティッシュペーパーを用いた例に基づいて説明する。図１は本発明に係る包装体の第１の実施形態を示す斜視図、図２は図１のＡ−Ａ断面図、図３は折り畳んだ状態の斜視図、図４は同使用時の態様例を示す斜視図である。図中の１は可撓性を有する膜材である。膜材１は水分の透過性、不透過性を問わず、更には水解性を有する素材であってもよく、包装体３の使用目的に応じて選定すればよい。水分不透過性の膜材１としては熱融着性プラスチックフィルム又は熱融着性不織布が利用可能である。この膜材１を重ね合わせ部２を設けながら扁平な筒状に形成し、左右両端の重合部１ａ，１ａを熱融着等により固着して包装体３が構成される。
【００１１】
使用に適した膜材としては、熱融着性プラスチックフィルム又はネット、例えばＰＰ，ＰＥ，ＰＥＴ，ＰＶＣＬ，ＰＶＡ等とその複合材としてのフィルムやネット状シートがある。更に、熱融着性不織布、例えばＰＰ，ＰＥ，ＰＥＴ，アクリル系の不織布か、又はセルローズ系不織布とプラスチックの複合材、例えばコットン，レーヨン，パルプ等の不織布とポリラミネートやポリマー付着シートの複合材か、又は熱融着性紙、例えば紙又は合成紙にポリラミネートやポリマー付着シートの複合材がある。
【００１２】
包装体３の内方には一枚毎に繰り出し自在に積層されたティッシュペーパー４の束体が収納されており、包装体３の重ね合わせ部と反対側の表面の中央部その他の所定の位置には、ミシン目で形成した破線状の切込部５が長手方向に沿って形成されている。この切込部５の左右両端部近傍の一方又は双方には非硬化性の感圧接着剤６，６が塗着されている。
【００１３】
図１に示したように、包装体３の幅方向の寸法ａに較べて長手方向の寸法ｂが長大に構成されていて、長手方向の寸法ｂの中央部にあって幅方向と平行なセンターラインｃを折曲中心として、図３に示すように包装体３が二つ折り可能に構成されている。なお、二つ折りにとらわれることなく、包装体３の幅方向に平行なラインを折曲中心として三つ折り、或いは四つ折りとしてもよい。包装体３の内方に収納されたティッシュペーパー４は、図９に示すように、包装体３の長手方向と平行なラインに沿って折り畳まれていて、包装体３の幅方向と平行なラインに沿っては折り畳まれていないことが特徴となっている。
【００１４】
かかる第１の実施形態によれば、平常時はセンターラインｃを折曲中心として財布のように包装体３を二つ折りにし、感圧接着剤６，６を相互に接合することによって全体的に小型化されて携帯が容易となる。また、図１で説明した膜材１の重ね合わせ部２によって図３に示すポケット７が形成されるので、このポケット７に名刺とかカード類を挿入して携帯することもできる。
【００１５】
次にティッシュペーパー４の使用時には、利用者は二つ折りにした包装体３を開いてから破線状の切込部５を破断して取出部を作り、該包装体３の内方に収納されたティッシュペーパー４を一枚毎に繰り出して使用に供することが出来る。この時にティッシュペーパー４は包装体３の長手方向と平行なラインに沿ってのみ折り畳まれていて、包装体３の幅方向と平行なラインに沿っては折り畳まれていないので、一枚ずつ取り出したティッシュペーパー４を広げる動作は最小限となって操作が簡易化されるという特徴がある。
【００１６】
図５は本発明に係る包装体の第２の実施形態を示す斜視図、図６は図５のＢ−Ｂ断面図、図７は折り畳んだ状態の斜視図、図８は同使用時の態様例を示す斜視図である。基本的な構成は第１の実施例と同一であるため、同一の符号を付して表示してある。即ち、可撓性を有する膜材１を重ね合わせ部８を設けながら扁平な筒状に形成し、左右両端の重合部１ａ，１ａを熱融着等により固着して包装体３が構成される。前記例と同様に包装体３の幅方向の寸法ａに較べて長手方向の寸法ｂが長大に構成されており、この包装体３の内方には一枚毎に繰り出し自在に積層されたティッシュペーパー４の束体が収納されている。そして長手方向の寸法ｂの中央部分にあって幅方向と平行なセンターラインｃを折曲中心として包装体３が二つ折り可能に構成されており、重ね合わせ部８の表面左右両端部近傍の一方又は双方に非硬化性の感圧接着剤６，６が塗着されている。
【００１７】
かかる第２の実施形態によれば、図７に示すように平常時はセンターラインｃを折曲中心として財布のように包装体３を二つ折りにし、感圧接着剤６，６を相互に接合することによって小型化されて携帯が容易な包装体となる。ティッシュペーパー４の使用時には、利用者は二つ折りにした包装体３を開いてから、図８に示すように重ね合わせ部８を左右に拡開して取出部を作り、内方に収納されたティッシュペーパー４を一枚毎に繰り出して使用に供することが出来る。このティッシュペーパー４は包装体３の長手方向と平行なラインに沿ってのみ折り畳まれていて、包装体３の幅方向と平行なラインに沿っては折り畳まれていないので、一枚ずつ取り出したティッシュペーパー４を広げる動作は最小限となって操作が簡易化される。
【００２５】
以上説明した実施例１，２は、収納物として乾式のティッシュペーパーを用いた例であるが、これ以外にもオイル系の半乾き状の保温ティッシュペーパーとかメントール系の香料入りティッシュペーパー、その他使い捨てハンカチ等にも適用することができる。また、前記実施例１，２では、膜材１の長手方向の寸法ｂの中央部分にあって幅方向と平行なセンターラインｃを折曲中心として包装体３が二つ折り可能に構成されているが、包装体３を三つ折り，四つ折り可能に構成することも可能である。
【００２６】
【発明の効果】
以上詳細に説明したように、本発明による包装体は携帯時には幅方向に平行なラインを折曲中心として財布のように包装体を折り畳むことにより、全体的に小型化されて携帯が容易な包装体が得られ、使用者が衣服のポケットに入れて携帯している間にも包装体の変形とか皺の発生は最小限に抑えて使い勝手を高め、収納物を最後まで使い切ることができる。
【００２７】
また、包装体の使用時には該包装体の内方に収納されたティッシュペーパーを一枚毎に繰り出した際に、該ティッシュペーパー等の収納物の束体が従来のように包装体の長手方向と幅方向の双方に折り畳まれておらず、包装体の長手方向と平行なラインに沿ってのみ折り畳まれているので（図９に示す状態）、取り出したティッシュペーパーを広げる操作が簡易化されるという効果が得られる。
【００２８】
しかも、従来のようにティッシュペーパーを幅方向に折り畳む工程が不要となり（図１０に示す状態）、包装体の長手方向と平行なラインに沿ってのみ折り畳まれているため（図９に示す状態）、生産ラインとしては全て流れ方向の折り工程となって生産効率が高い。また、ノベルティとして広告面積を従来より格段に広く形成することが可能となる。
【００２９】
従って本発明によれば、携帯性及びティッシュペーパー等の収納物を取り出した後の使い勝手が良好であり、各種ノベルティとして用いても有効な包装体を提供することができる。
【図面の簡単な説明】
【図１】  本発明に係る包装体の第１の実施形態を示す斜視図。
【図２】  図１のＡ−Ａ断面図。
【図３】  折り畳んだ状態の斜視図。
【図４】  使用時の態様例を示す斜視図。
【図５】  本発明に係る包装体の第２の実施形態を示す斜視図。
【図６】  図５のＢ−Ｂ断面図。
【図７】  折り畳んだ状態の斜視図。
【図８】  使用時の態様例を示す斜視図。
【図９】  本発明に係る包装体に収納されるティッシュペーパーを示す斜視図。
【図１０】  従来の包装体に収納されるティッシュペーパーを示す斜視図。
【符号の説明】
１…膜材
２，８…重ね合わせ部
３…包装体
４…ティッシュペーパー
５…切込部
６…感圧接着剤
７…ポケット
【図１】
0003719657.tif 000002
【図２】
0003719657.tif 000003
【図３】
0003719657.tif 000004
【図４】
0003719657.tif 000005
【図５】
0003719657.tif 000006
【図６】
0003719657.tif 000007
【図７】
0003719657.tif 000008
【図８】
0003719657.tif 000009
【図９】
0003719657.tif 000010
【図１０】
0003719657.tif 000011